(57)【要約】【課題】ベルトの幅方向全体で張力を受ける構成でありながら、厚さが薄いベルト固定装置を提供する。【解決手段】ベルト２の端部を固定部に固定する。ベルト２の固定される端部に、折り重ねて形成された折曲部１１と、折曲部１１のベルト間に挿入され、固定部に固定された板金１２とを備え、固定部は、厚さ方向がベルト２の厚さ方向と同じ方向であるように板金１２を固定し、折曲部１１と接する領域の板金１２は、ベルト２の幅方向の長さがベルト２の幅と同じか長い。【選択図】図２
2007178897.tif 000002
【特許請求の範囲】
【請求項１】
帯状部材の一端を折り重ねて形成された折曲部と、
前記折曲部を構成する一対の帯状部材間に挿入された係止部材と、
機器本体に備え、前記係止部材と係合し、前記帯状部材の他端から付与される張力を受け止める固定部とを備えることを特徴とする固定装置。
【請求項２】
前記係止部材は、前記帯状部材が成す平面上で、前記張力が当該係止部材に作用する方向に対し直交する幅方向の長さが、前記折曲部を構成する当該帯状部材の幅よりも広い請求項１記載の固定装置。
【請求項３】
前記固定部は、前記帯状部材の幅以上の間隔を隔てて配置された一対のリブを前記機器本体に有し、
前記係止部材は、幅が一対の前記リブの間隔より広い幅を有する広幅領域および前記帯状部材の幅以下の狭幅領域を連設して備え、
前記狭幅領域は、前記リブの間に配置され、
前記広幅領域は、前記リブに備える切り欠き部に係合される請求項１または２記載の固定装置。
【請求項４】
前記折曲部における前記機器本体側の帯状部材には、第１の貫通孔が設けられ、
前記係止部材には、前記第１の貫通孔と同心円となる位置に第２の貫通孔が設けられ、
前記第１および第２の貫通孔に螺子を通して前記機器本体に螺合する請求項１〜３のいずれか一項記載の固定装置。
【請求項５】
前記折曲部における前記第１の貫通孔を備える当該帯状部材が前記係止部材を介して対向する帯状部材に、当該第１の貫通孔より大きい第３の貫通孔を備え、
前記第３の貫通孔の径は、螺子頭部が前記第３の貫通孔を穿った帯状部材に陥没する請求項４記載の固定装置。
【請求項６】
前記機器本体は、カメラであり、
前記帯状部材は、前記カメラの保持を補助するグリップベルトである請求項１〜５のいずれか一項記載のグリップベルト固定装置。
【発明の詳細な説明】
【技術分野】
【０００１】
本発明は、ベルト特にビデオカメラにグリップベルトを固定するベルト固定装置に関する。
【背景技術】
【０００２】
図１は、ビデオカメラの全体構成を示す斜視図である。ビデオカメラ本体１には、グリップベルト２が接続されている。グリップベルト２は、使用者の手の甲を締め付け、使用者が撮影時にビデオカメラ本体１を保持することを補助する。ビデオカメラ本体１とグリップベルト２の固定については、いくつかの機構が提案されている。
【０００３】
図８は従来のビデオカメラのグリップベルトを固定するグリップベルト固定装置の一構成例を示す平面図であり、図９はそのＧ−Ｇ断面の構成を示す断面図である（例えば特許文献１参照）。メインフレーム１０４は、ビデオカメラの内部構成を保持する。サイドケース１０５は、ビデオカメラの外郭を形成する。グリップベルト１０１、グリップベルト補強金具１０３、メインフレーム１０４およびサイドケース１０５には、それぞれ対応する箇所に孔が設けられている。グリップベルト補強金具１０３は、両端にグリップベルトの厚さの脚１０３ｂを設けた平板であり、平板の中心に孔が設けられている。グリップベルト補強金具１０３は、孔の円周部が平板に対して垂直方向に円筒状に延在した深しぼり部１０３ａを有している。深しぼり部１０３ａを通して、ビス１０２はメインフレーム１０４に固定される。
【０００４】
次に、このような構成のグリップベルト固定装置の組み立て工程について説明する。まず、サイドケース１０５上に、グリップベルト１０１を両者の孔の位置が一致するように配置する。つぎに、グリップベルト１０１の孔に深しぼり部１０３ａを挿入して、グリップベルト補強金具１０３をグリップベルト１０１上に配置する。そして、深しぼり部１０３ａに、ビス１０２を挿入し、メインフレーム１０４に固定する。
【０００５】
この構成は、深しぼり部１０３ａを設けることにより、ビス１０２とグリップベルト１０１が接することがなく、ビス１０２のネジ部によるグリップベルト１０１の損傷を防ぐことができる。
【０００６】
近年、ハンドストラップとして使用可能なグリップベルトが提案されている。そのため、グリップベルト固定機構にこれまで以上に大きな力が加わるようになっている。上記図８に示すグリップベルト固定装置では、グリップベルト１０１の長手方向に掛かる引っ張り力（張力）がグリップベルト補強金具１０３の深しぼり部１０３ａとグリップベルト１０１が当接する点に全て掛かる。そのため、グリップベルト１０１が深しぼり部１０３ａとの当接部分において損傷する恐れが生じる。
【０００７】
図１０は、この問題を解決することができるグリップベルトの固定装置の一構成例を示す断面図である（例えば特許文献２参照）。グリップベルト１２１が二重に折り重ねられてビデオカメラ本体１２２に挿入されている。グリップベルト１２１の端部に、両端が固定されたシャフト１２３が挿入されている。
【０００８】
このような構成のグリップベルトの固定装置では、張力が、シャフト１２３と接するグリップベルト１２１の幅方向全体に分散して掛かるため、グリップベルト１２１が損傷することを防止することができる。
【特許文献１】特開２００４−２３６２７２号公報
【特許文献２】特開２０００−１９６９２８号公報
【発明の開示】
【発明が解決しようとする課題】
【０００９】
近年、ビデオカメラは小型化の要請が強く、他の部品との関係により、グリップベルト固定装置のスペースを十分に確保できない場合が生じている。図１０に示すグリップベルト固定装置では、シャフト１２３が細い場合には、張力により、シャフト１２３が変形する。従って、シャフト１２３は、強度確保のために、ある程度の直径（例えば２ｍｍ）が必要である。このため、シャフト１２３の直径に加えグリップベルト１０１を折り曲げ重畳させることでベルト固定装置が厚くなり、ビデオカメラの小型化が困難であるという問題がある。
【００１０】
本発明は、上記問題を解決するためになされたもので、帯状部材の幅方向全体で張力を受ける構成でありながら、厚さが薄い固定装置を提供することを目的とする。
【課題を解決するための手段】
【００１１】
上記目的を達成するために、本発明のベルト固定装置は、帯状部材の一端を折り重ねて形成された折曲部と、前記折曲部を構成する一対の帯状部材間に挿入された係止部材と、機器本体に備え、前記係止部材と係合し、前記帯状部材の他端から付与される張力を受け止める固定部とを備えることを特徴とする。
【発明の効果】
【００１２】
本発明によれば、帯状部材の幅方向全体で張力を受ける構成でありながら、厚さが薄い固定装置を提供することができる。
【発明を実施するための最良の形態】
【００１３】
本発明の固定装置において、前記係止部材は、前記帯状部材が成す平面上で、前記張力が当該係止部材に作用する方向に対し直交する幅方向の長さが、前記折曲部を構成する当該帯状部材の幅よりも広い構成にすることもできる。この構成により、帯状部材が受ける張力がこの帯状部材の幅全体に分散するため、帯状部材が損傷することを防ぐことができる。
【００１４】
また、前記固定部は、前記帯状部材の幅以上の間隔を隔てて配置された一対のリブを前記機器本体に有し、前記係止部材は、幅が一対の前記リブの間隔より広い幅を有する広幅領域および前記帯状部材の幅以下の狭幅領域を連設して備え、前記狭幅領域は、前記リブの間に配置され、前記板広幅領域は、前記リブに備える切り欠き部に係合される構成にすることもできる。
【００１５】
また、前記折曲部における前記機器本体側の帯状部材には第１の貫通孔が設けられ、前記係止部材には、前記第１の貫通孔と同心円となる位置に第２の貫通孔が設けられ、前記第１および第２の貫通孔に螺子を通して前記機器本体に螺合する構成にすることもできる。この構成により、帯状部材が受ける張力が係止部材および機器本体に圧接されて生じる摩擦力により相殺され、当該張力を係止部材および係止部材と機器本体との間の帯状部材全体で受けることができ、単位面積当たりに掛かる張力を少なくでき、以て帯状部材の損傷を防ぐことができる。
【００１６】
また、前記折曲部における前記第１の貫通孔を備える前記帯状部材が前記係止部材を介して対向する帯状部材に、当該第１の貫通孔より大きい第３の貫通孔を備え、前記第３の貫通孔の径は、螺子頭部が前記第３の貫通孔を穿った帯状部材に埋没する構成にすることもできる。この構成により、螺子頭部が帯状部材に埋没するため、固定装置を薄く形成することができる。すなわち、固定装置の厚みを、重畳した帯状部材と係止部材との合計厚みをすることができる。
【００１７】
また、前記機器本体はカメラであり、前記帯状部材は、前記カメラの保持を補助するグリップベルトである構成にすることができる。
【００１８】
以下、本発明の実施の形態に係る固定装置について、ビデオカメラのグリップベルト固定を例にして、図面を参照しながら説明する。
【００１９】
（実施の形態１）
図１は、上述したようにビデオカメラの全体構成を示す斜視図である。ビデオカメラは、ビデオカメラ本体１、グリップベルト２、レンズ部３、ビューファインダー４およびビデオカメラ本体１のグリップベルト２が配置された面に対向する面に形成された、液晶パネルなどの表示パネル（図示せず）を備えている。また、ビデオカメラ本体１には、ビデオカメラ本体１内部に配置されたグリップベルト固定機構の一構成要素であるベルト挿入口５と、使用者がビデオカメラ本体１を把持するための把持部６が設けられている。
【００２０】
ビデオカメラ本体１は、磁気記録テープ、半導体メモリあるいはビデオカメラ全体を駆動する電源であるバッテリを装着可能に構成され、内部に電子回路を備えている。グリップベルト２は、例えば厚さ１ｍｍの布や皮革などで構成され、撮影時に使用者がビデオカメラ本体１を把持する際に、手の甲を支持する。グリップベルト２は、一端がベルト挿入口５に挿入されて後述するグリップベルト固定装置に固定され、ビデオカメラ本体１と接続されている。また、グリップベルト２は、使用者の手の大きさに合わせて、支持する強さ（グリップベルト２の長さ）の調整が可能である。レンズ部３は、被写体からの光を受け、ビデオカメラ本体１内部の受光部に光の焦点を一致させる。ビューファインダー４および表示パネルは、受光部で得られた画像またはすでに記録された画像を表示する。
【００２１】
ビデオカメラ使用時に、ビデオカメラ本体１の把持部６は使用者の手のひらで把持され、グリップベルト２は手の甲を支持する。そして、ビューファインダー４あるいは表示パネルを見ながら撮影が行われる。撮影時、あるいは非撮影時においてもグリップベルト２のみでビデオカメラ本体１を支えられる場合などにグリップベルト２に張力が強く掛かり、グリップベルト固定装置に大きな力が加わる。
【００２２】
以下、グリップベルト固定装置の詳細について説明する。図２は、本実施の形態におけるグリップベルト固定装置の組み立て工程を示す分解斜視図である。折曲部１１は、グリップベルト２の一端であり、グリップベルト２を折りたたんだ二重構造である。ベルト挿入口５は、固定すべきグリップベルト２を引込む溝状の開口であり、少なくとも、挿入されるグリップベルト２の折曲部１１の幅と同じ長さと、グリップベルト２の厚さの２倍の幅とを有する開口である。
【００２３】
板金１２（係止部材）は、凸字状に構成された金属板であり、凸字状の頭の部分（以下、板金の頭部と称す）１５の幅は、折曲部１１の幅より広い。また、板金１２において、板金の頭部１５以外の部分（以下、板金の胴部と称す）１６は、幅がグリップベルト２と同じであることが好ましい。ビデオカメラ本体１の筐体を形成する平板に切り欠き部を有する一対のリブ１４は、折曲部１１の幅に相当する間隔を隔てて、ビデオカメラ本体１の外装を構成するプレート１３に設けられている。
【００２４】
次に、グリップベルト固定装置の組み立て工程について説明する。まず、グリップベルト２を、折曲部１１からベルト挿入口５を通して、外部から内部へ（矢印Ａの向き）挿入する。つぎに、矢印Ｂに示すように、折曲部１１の重ねられたグリップベルト２の間に、板金の頭部１５が折曲部１１と接するように板金１２を挿入する。つぎに、板金の頭部１５をリブ１４に係合させる。
【００２５】
図３は、上記工程により組み立てられたグリップベルト固定装置の構成を示す斜視図である。板金の頭部１５の幅は、グリップベルト２の幅より広い。従って、折曲部１１は、グリップベルト２に加わる張力をグリップベルト２の幅全体に分散することができ、グリップベルト２が損傷することを防ぐことができる。また、板金の胴部１６の幅が２つのリブ１４間との距離と同じであれば、板金の胴部１６がリブ１４の間に嵌合保持されるので、グリップベルト２を幅方向（図３の上下方向）に関し位置を規制することができる。
【００２６】
図４は、図３におけるグリップベルト固定装置のＣ−Ｃ断面の構成を示す断面図である。板金１２は、従来例で示したシャフトより薄く（例えば、０．７ｍｍ）構成することができる。そのため、グリップベルト固定装置の厚さを薄くすることができる。
【００２７】
グリップベルト２は、張力を受けると、板金１２を引っ張る。板金１２は、厚さが薄く構成されているが、板金の頭部１５は、グリップベルト２の長さ方向に長く（例えば５ｍｍ）形成されているため、板金１２が張力によりリブ１４から外れることを防ぐことができる。板金１２が力を受けると、板金の頭部１５と嵌合したリブ１４に力が加わる。従って、リブ１４を介して、プレート１３にグリップベルト２を保持することができる。
【００２８】
以上のように本実施の形態に係るグリップベルト固定装置は、板金１２とグリップベルト２の２枚分の厚さで構成することができ、従来のベルト固定機構より薄く構成することができる。また、グリップベルト２をグリップベルト２より幅の広い板金の頭部１５により固定するため、張力をグリップベルト２の幅全体に分散することができ、グリップベルト２の破損を防ぐことができる。
【００２９】
なお、図４に示すように本実施の形態では、板金の頭部１５の端縁の形状が直角形状である場合について示したが、端縁の形状を円弧状に形成することもできる。板金の頭部１５の端縁の形状が直角形状を有している場合は、張力が主に２箇所の直角頂点と接触するグリップベルト２の位置に掛かっているが、この構成により、グリップベルト２は、板金１２の円弧状の端縁に接する領域に力を分散することができるため、より強い張力に対しても損傷を防ぐことができる。
【００３０】
また、板金１２の形状は凸字形状に限定されず、挿入するグリップベルト２の幅より広く、一対のリブ１４の間隔より広い領域有する形状であればよい。
【００３１】
また、一対のリブ１４それぞれに切り欠きを備えた構成を例に説明したが、一対のリブ１４がプレート１３から立設する側面全体で支持してもよく、さらに板金１２の幅方向にリブ１４が嵌合する一対の貫通部を備えても良い。
【００３２】
なお、グリップベルト固定装置を外部から遮蔽するカバーに、グリップベルト２をプレート１３と挟んで固定する押圧部を設けても良い。プレート１３と押圧部により、グリップベルト２を圧接することにより、グリップベルト２を図４の上下方向に対して固定することができる。
【００３３】
また、ベルト挿入口５より外側で、折り曲げられたグリップベルト２は、縫製などにより結合された構成にすることもできる。この構成により、板金１２に対し、両側のグリップベルト２から掛かる力が均等になり、グリップベルト２がずれることを防ぐことができる。
【００３４】
（実施の形態２）
本発明の実施の形態２に係るグリップベルト固定装置の構成について説明する。図５は、本実施の形態に係るグリップベルト固定装置の組み立て工程を示す分解斜視図である。なお、グリップベルト固定装置以外のビデオカメラの構成は、実施の形態１に係るビデオカメラと同一の構成であり、同一の構成要素については同一の符号を付して説明を省略する。
【００３５】
折曲部２１は、グリップベルト２の一端に形成され、グリップベルト２を折りたたんだ二重構造である。折曲部２１の近傍に折り重なったグリップベルト２の一方に小貫通孔（第１の貫通孔）３０が設けられ、グリップベルト２の他方に小貫通孔３０より大きい同心円の大貫通孔（第３の貫通孔）３１が設けられている。小貫通孔３０および大貫通孔３１は、グリップベルト２の幅方向に対して中央に設けられている。
【００３６】
板金（係止部材）２２は、貫通孔（第２の貫通孔）２９が設けられた略方形の金属板であり、略方形の１組の対向する辺の中心部に突出部２６を備えている。板金２２において、突出部２６が設けられていないもう一組の辺の一方を含む領域（以下、板金の奥領域と称す）２８の幅は、グリップベルト２の幅と同じである。なお、板金の奥領域２８の幅は、グリップベルト２の幅より広くてもよい。突出部２６に対して、板金の奥領域２８と反対側の領域（以下、板金の手前領域）２７は、後述する支持体２５により支えられ、支持体２５の位置、大きさ、形状に応じた形状である。
【００３７】
プレート２３には、固定壁２４、支持体２５およびネジ孔３２が設けられている。固定壁２４はコの字形状をしており、固定壁２４に板金の奥領域２８が嵌合する。支持体２５は、板金の手前領域２７を支持し、挿入口５の開口境界部を補強する。ネジ孔３２は、プレート２３上の固定壁２４近傍に設けられている。
【００３８】
螺子３３は、螺子頭部３４と螺子胴部３５とで構成されている。螺子頭部３４の大きさは、大貫通孔３１より小さく、板金の貫通孔２９より大きい。また、螺子頭部３４の厚さは、グリップベルト２の厚さより薄い。螺子胴部３５は、小貫通孔３０および板金の貫通孔２９より小さい。固定壁２４、支持体２５および螺子３３により、板金２２が固定される。
【００３９】
次に、グリップベルト固定装置の組み立て工程について説明する。まず、グリップベルト２を折曲部２１からベルト挿入口５に通し、図１に示すビデオカメラ本体１の外部から内部へ（矢印Ｄの向き）挿入する。つぎに、矢印Ｅに示すように、重ねられたグリップベルト２の間に、板金の奥領域２８が折曲部２１と接するように板金２２を挿入する。つぎに、グリップベルト２を固定壁２４のコの字形状に沿って嵌め込む。同時に突出部２６は、固定壁２４の両端部に支持される。さらに、板金の手前領域２７は、支持体２５により支持される。つぎに、螺子３３を大貫通孔３１、板金の貫通孔２９および小貫通孔３０を通し、プレート２３のネジ孔３２にネジ止めする。
【００４０】
次に、上記工程により形成されたグリップベルト固定装置について、図６および図７を参照しながら説明する。図６は、本実施の形態に係るグリップベルト固定装置の斜視図である。図７は、図６に示すグリップベルト固定装置のＦ−Ｆ断面の構成を示す断面図である。
【００４１】
板金の奥領域２８の幅は、折曲部２１においてグリップベルト２の幅と同じあるいは広い。従って、折曲部２１は、グリップベルト２に加わる張力をグリップベルト２の幅全体に分散することができ、グリップベルト２が損傷することを防ぐことができる。
【００４２】
また、板金の奥領域２８の幅が固定壁２４のコの字の上下の辺の距離と等しいため、固定壁２４のコの字形状の上下両辺に板金の奥領域２８が接し、板金２２がグリップベルト２の幅方向に対して固定される。さらに、板金の凸部２６は、固定壁２４の上下両辺の端部と接し、板金２２がグリップベルト２の幅方向に対して固定される。また、板金の手前領域２７と支持体２５が接することにより、板金２２がグリップベルト２の幅方向および引っ張り方向に対して固定される。板金２２が固定されることによりグリップベルト２が固定される。
【００４３】
また、図７に示すように、螺子３３は大貫通孔３１、板金の貫通孔２９および小貫通孔３０を通し、プレート２３に止められ、板金２２が固定されている。螺子頭部３４は板金２２を圧接し、板金２２はグリップベルト２を圧接する。板金２２とグリップベルト２およびプレート２３とグリップベルト２の間に、張力に対して、摩擦力が生じる。つまり、張力が、板金２２とプレート２３に挟まれたグリップベルト２と、折曲部２１に分散され、グリップベルト２が破損することを防ぐことができる。
【００４４】
また、螺子頭部３４は、グリップベルト２の厚さより薄く形成されている。螺子頭部３４を薄く形成することにより、グリップベルト固定装置の厚さをグリップベルト２の２枚分と、板金２２の厚さに抑えることができる。なお、螺子頭部３４は、板金２２を圧接するだけの強度となるように形成されている。
【００４５】
以上のように本実施の形態に係るグリップベルト固定装置は、板金２２と２枚分のグリップベルト２の厚さで構成することができ、従来のベルト固定機構より薄く形成することができる。
【００４６】
また、幅がグリップベルト２の幅と同じか広い板金２２によりグリップベルト２を固定するため、張力をグリップベルト２の幅全体に分散することができ、グリップベルト２の破損を防ぐことができる。さらに、板金２２を螺子３３で固定するため、板金２２とプレート２３間のグリップベルト２が固定され、グリップベルト２と板金２２およびプレート２３には張力に対して摩擦力が生じる。このため、折曲部２１におけるグリップベルト２の負荷を減らし、グリップベルト２の破損を防ぐことができる。
【００４７】
また、螺子３３が緩んだ場合には、支持体２５が実施の形態１におけるリブ１４と同様に板金２２を止めるので、仮に螺子３３が緩むような事態が発生しても問題はない。
【００４８】
なお、グリップベルト固定装置を外部から遮蔽するカバーに、グリップベルト２をプレート２３と挟んで固定する押圧部を設けても良い。プレート２３と押圧部により、グリップベルト２を圧接することにより、グリップベルト２を図７の上下方向に対して固定することができる。また、強度確保のため螺子頭部３４の厚さがグリップベルト２の厚さより厚くなる場合には、押圧部に凹部を設けてグリップベルト固定装置の厚さを抑える構成にすることもできる。また、螺子頭部３４の厚さがグリップベルト２の厚さより厚くなる場合には、螺子頭部３４に圧接される領域の板金２２を薄くする構成にすることもできる。
【００４９】
また、本実施の形態において、突出部２６がベルト挿入口５の開口長さより長ければ、例え螺子３３が外れても、板金の突出部２６がベルト挿入口５と係合することにより、グリップベルト２を固定することができる。
【００５０】
また、本実施の形態においては、グリップベルト２に小貫通孔３０および大貫通孔３１を設けた構成であるが、プレート２３側のグリップベルト２に小貫通孔３０を設け、板金２２および小貫通孔３０を通した螺子３３をプレート２３に螺合することによりグリップベルト２を固定する構成にすることもできる。ただし、この構成では螺子頭部３４上をグリップベルト２が覆い、厚みが増すため、本実施の形態における構成の方が好ましい。
【００５１】
また、大貫通孔３１が螺子頭部３４より小さく、螺子頭部３４がグリップベルト２を押圧する構成にしても、グリップベルト２の強度向上の効果を有する。ただし、この場合螺子頭部３４の厚さの分だけ厚みが増すため、本実施の形態における構成の方が好ましい。
【００５２】
また、実施の形態１、２のグリップベルト固定機構において、ベルト挿入口５をグリップベルト２が挿入可能な広さで、できるだけ狭く構成することが好ましい。ベルト挿入口５を狭く構成することにより、図４または図７の上下方向、紙面垂直方向の力をベルト挿入口５で抑えることができ、折曲部２１の負担を減らすことができる。
【００５３】
また、図２に示すリブ１４と図５に示す固定壁２４は、プレート１３、２３と一体成形すると、プレート１３、２３の接触強度が増すので好ましく、材料は金属でも樹脂でも良い。また、板金１２、２２は、金属に限定されず、熱硬化樹脂等の硬質樹脂でもよい。
【００５４】
また、実施の形態１、２において、グリップベルト固定機構は、ビデオカメラの前方に形成された構成を示したが、後方に形成されてもよい。
【００５５】
本発明のベルト固定装置は、ビデオカメラのグリップベルト固定装置に限定されず、スチルカメラを始め種々の携帯電子機器のストラップ固定装置とすることもできる。
【産業上の利用可能性】
【００５６】
本発明の固定装置は、厚さ方向に関して薄型化できるという利点を有し、種々の電子機器のグリップベルト固定機構として利用可能である。
【図面の簡単な説明】
【００５７】
【図１】ビデオカメラの構成を示す斜視図
【図２】本発明の実施の形態１に係るグリップベルト固定機構の構成を示す分解斜視図
【図３】同上グリップベルト固定機構の構成を示す斜視図
【図４】同上グリップベルト固定機構のＣ−Ｃ断面の構成を示す断面図
【図５】本発明の実施の形態２に係るグリップベルト固定機構の構成を示す分解斜視図
【図６】同上グリップベルト固定機構の構成を示す斜視図
【図７】同上グリップベルト固定機構のＦ−Ｆ断面の構成を示す断面図
【図８】従来のベルト固定機構の構成を示す平面図
【図９】同上ベルト固定機構のＧ−Ｇ断面構成を示す断面図
【図１０】従来の別のベルト固定機構の構成を示す断面図
【符号の説明】
【００５８】
１  ビデオカメラ本体
２  グリップベルト
３  レンズ部
４  ビューファインダー
５  ベルト挿入口
６  把持部
１１、２１  折曲部
１２、２２  板金
１３、２３  プレート
１４  リブ
１５  板金の頭部
１６  板金の胴部
２４  固定壁
２５  支持体
２６  凸部
２７  板金の手前領域
２８  板金の奥領域
２９  貫通孔
３０  小貫通孔
３１  大貫通孔
３２  ネジ孔
３３  螺子
３４  螺子頭部
３５  螺子胴部
【図１】
2007178897.tif 000003
【図２】
2007178897.tif 000004
【図３】
2007178897.tif 000005
【図４】
2007178897.tif 000006
【図５】
2007178897.tif 000007
【図６】
2007178897.tif 000008
【図７】
2007178897.tif 000009
【図８】
2007178897.tif 000010
【図９】
2007178897.tif 000011
【図１０】
2007178897.tif 000012